(57)【要約】【課題】電子機器本体及びリモコン装置の消費電力を低減することができ、電子機器本体とリモコン装置との距離に応じて、電子機器本体とリモコン装置との通信が困難にならないようにリモコン装置の位置を確実に報知することができる。【解決手段】テレビ受信装置１は、テレビ受信機２と、テレビ受信機２を遠隔操作するためのリモコン信号を送信するリモコン装置３とを備えている。テレビ受信機２は、リモコン信号受信部７と、リモコン装置３へ電波を送信する電波送信部９とを備えている。また、リモコン装置３は、リモコン信号を送信するリモコン信号送信部１２と、電波送信部９によって送信された電波を受信する電波受信部１３と、受信された電波の強度を測定する電波強度測定部１５と、測定された電波の強度に基づいて、リモコン装置３の位置を報知する報知部１４とを備えている。電波送信部９は、一定の周期毎にリモコン装置３へ電波を送信する。【選択図】図１
2009253859.tif 000002
【特許請求の範囲】
【請求項１】
電子機器本体と、前記電子機器本体を遠隔操作するためのリモコン信号を送信するリモコン装置とを備え、
前記電子機器本体は、前記リモコン信号を受信するリモコン信号受信部と、前記リモコン装置へ電波を送信する電波送信部とを備え、
前記リモコン装置は、前記リモコン信号を送信するリモコン信号送信部と、前記電波送信部によって送信された電波を受信する電波受信部と、前記電波受信部によって受信された電波の強度を測定する電波強度測定部と、前記電波強度測定部によって測定された電波の強度に基づいて、前記リモコン装置の位置を報知する報知部とを備え、
前記電波送信部は、一定の周期毎に前記リモコン装置へ電波を送信することを特徴とする電子機器。
【請求項２】
前記電子機器本体は、前記リモコン装置の位置を検出するための位置検出信号を生成する位置検出信号生成部をさらに備え、前記電波送信部は、さらに、前記位置検出信号生成部によって生成された位置検出信号を電波として送信し、
前記報知部は、前記電波受信部によって受信された電波が位置検出信号である場合には、前記リモコン装置の位置を報知することを特徴とする請求項１に記載の電子機器。
【請求項３】
前記リモコン装置は、前記電波強度測定部によって測定された電波の強度と予め設定された閾値とを比較するとともに、前記電波強度測定部によって測定された電波の強度が閾値よりも小さい場合に、前記位置検出信号の電波を前記電波受信部が受信できなくなることを防止するために、前記リモコン装置の位置を報知するように前記報知部を制御するリモコン側制御部を備えることを特徴とする請求項２に記載の電子機器。
【発明の詳細な説明】
【技術分野】
【０００１】
本発明は、リモコン装置を備えたテレビ受信装置等の電子機器に関する。
【背景技術】
【０００２】
一般に、テレビ受信装置等の電子機器は、電子機器本体を遠隔操作するためのリモコン装置を備えている。例えば、テレビ受信装置においては、リモコン装置に設けられたボタン等の操作部の操作内容に対応して、電子機器本体であるテレビ受信機を遠隔操作するための信号（以下、「リモコン信号」という。）をリモコン装置からテレビ受信機へ送信することにより、テレビ受信機を遠隔操作するように構成されている。また、電子機器本体からリモコン装置へ電波を送信する電子機器が開示されている（例えば、特許文献１参照）。
【０００３】
ここで、上記のようにリモコン装置へ電波を送信する電子機器として、リモコン装置を紛失した際に容易に発見することができるように、リモコン装置で送信された電波を受信するとともに、受信した電波の強度に応じて報知するものが開示されている（例えば、特許文献２参照）。より具体的には、電子機器本体（被操作電気機器）から電波が送信（発信）されるとともに、リモコン装置において送信された電波をアンテナにより受信する。そして、リモコン装置において、受信された電波の信号と基準電圧とが比較されて、その比較結果に基づいて、リモコン装置に設けられたスピーカーが動作される。即ち、電子機器本体とリモコン装置との距離が大きいほど、受信した電波の強度（電界強度）が小さくなるため、受信した電波の強度に応じてリモコン装置の位置を報知する構成となっている。
【特許文献１】特開２０００−９１９３０号公報
【特許文献２】特開平５−１１１０８１号公報
【発明の開示】
【発明が解決しようとする課題】
【０００４】
しかしながら、上記特許文献２に記載されるような電子機器において、リモコン装置の位置を報知するために電子機器本体から電波を常に送信する場合には、電波を常に送受信するため、電子機器本体及びリモコン装置の消費電力が大きくなるという問題があった。また、上記特許文献２に記載されるような電子機器において、電子機器本体に設けられた操作部（スイッチ）がオンになった際に電波送信部から電波を送信する場合は、電波を送信する際にリモコン装置が、電子機器本体からの電波を受信することが困難な位置にある可能性があり、リモコン装置の位置を報知することができないという問題があった。
【０００５】
本発明は、こうした実情に鑑みてなされたものであり、その目的は、電子機器本体及びリモコン装置の消費電力を低減することができ、電子機器本体とリモコン装置との距離に応じて、電子機器本体とリモコン装置との通信が困難にならないようにリモコン装置の位置を確実に報知することができる電子機器を提供することにある。
【課題を解決するための手段】
【０００６】
請求項１に記載の発明は、電子機器本体と、電子機器本体を遠隔操作するためのリモコン信号を送信するリモコン装置とを備え、電子機器本体は、リモコン信号を受信するリモコン信号受信部と、リモコン装置へ電波を送信する電波送信部とを備え、リモコン装置は、リモコン信号を送信するリモコン信号送信部と、電波送信部によって送信された電波を受信する電波受信部と、電波受信部によって受信された電波の強度を測定する電波強度測定部と、電波強度測定部によって測定された電波の強度に基づいて、リモコン装置の位置を報知する報知部とを備え、電波送信部は、一定の周期毎にリモコン装置へ電波を送信することを特徴とする電子機器。
【０００７】
同構成によれば、電子機器本体の電波送信部は、常に電波を送信することなく、周期的にリモコン装置へ電波を送信するため、リモコン装置においては、周期的に電波を受信して電波の強度が測定される。従って、電波送信部は常に電波を送信することがないため、常に電波を送信する構成に比し、電子機器本体の消費電力を低減することができ、リモコン装置は、常に電波を受信する必要がないため、リモコン装置の消費電力を低減することができる。また、電波送信部は一定の周期毎に電波を送信するため、例えば、電子機器本体に設けられた操作部が操作された際に電波送信部が電波を送信する構成に比し、電子機器本体とリモコン装置との距離に応じて、電子機器本体とリモコン装置との通信が困難にならないようにリモコン装置の位置を確実に報知することができる。
【０００８】
請求項２に記載の発明は、請求項１に記載の電子機器であって、電子機器本体は、リモコン装置の位置を検出するための位置検出信号を生成する位置検出信号生成部をさらに備え、電波送信部は、さらに、位置検出信号生成部によって生成された位置検出信号を電波として送信し、報知部は、電波受信部によって受信された電波が位置検出信号である場合には、リモコン装置の位置を報知することを特徴とする。
【０００９】
同構成によれば、電波送信部は、位置検出信号生成部によって生成されたリモコン装置の位置を検出するための位置検出信号を電波として送信し、報知部は、前記電波受信部によって受信された電波が位置検出信号である場合には、前記リモコン装置の位置を報知する。このため、リモコン装置を紛失した際には、電波送信部によって位置検出信号を電波として送信することで、紛失したリモコン装置の位置を報知することができる。また、請求項１に記載される周期的に送信される電波と、位置検出信号の電波は、同じ電波送信部により送信されるため、電波を送信するための電子機器本体の構成を簡単な構成とすることができる。
【００１０】
請求項３に記載の発明は、請求項２に記載の電子機器であって、リモコン装置は、電波強度測定部によって測定された電波の強度と予め設定された閾値とを比較するとともに、電波強度測定部によって測定された電波の強度が閾値よりも小さい場合に、位置検出信号の電波を電波受信部が受信できなくなることを防止するために、リモコン装置の位置を報知するように報知部を制御するリモコン側制御部を備えることを特徴とする。
【００１１】
同構成によれば、リモコン装置は、電波強度測定部によって測定された電波の強度が予め設定された閾値よりも小さければ、位置検出信号の電波を電波受信部が受信できなくなることを防止するために、リモコン装置の位置を報知するように報知部を制御するリモコン側制御部を備えている。このため、電子機器本体から送信された位置検出信号の電波をリモコン装置が受信できなくなることを防止して、リモコン装置を紛失した際には、電波送信部によって位置検出信号を電波として送信することで、紛失したリモコン装置の位置を確実に報知することができる。
【発明の効果】
【００１２】
本発明によれば、常に電波を送信する構成に比し、電子機器本体及びリモコン装置の消費電力を低減することができ、電子機器本体に設けられた操作部が操作された際に電波送信部が電波を送信する構成に比し、電子機器本体とリモコン装置との通信が困難にならないようにリモコン装置の位置を確実に報知することができる。
【発明を実施するための最良の形態】
【００１３】
以下に、本発明の具体的な実施形態について図面を参照しながら説明する。図１は、本発明の実施形態に係る電子機器の構成を示すブロック図である。図１に示すように、電子機器であるテレビ受信装置１は、放送信号を受信して映像及び音声を出力する電気機器本体であるテレビ受信機２と、テレビ受信機２の操作を行うためのリモコン装置３とから構成されている。
【００１４】
テレビ受信機２は、外部に設けられたアンテナＡによって受信した放送信号（映像信号及び音声信号）に対して種々の信号処理を施す集積回路からなる信号処理部４と、信号処理が施された映像信号に基づいて映像を表示するディスプレイ５と、信号処理が施された音声信号に基づいて音声を再生するスピーカー６とを備えている。
【００１５】
さらに、テレビ受信機２は、リモコン装置３から送信されたリモコン信号を受信するリモコン信号受信部７と、テレビ受信機２の各部を制御する本体側制御部８と、位置検出信号を電波としてリモコン装置３へ送信する電波送信部９とを備えている。
【００１６】
リモコン信号受信部７は、例えば、赤外線受信用の受光素子（不図示）や、赤外線からリモコン信号を得るための復調を行う集積回路（不図示）から構成されており、リモコン信号受信部７は、受信したリモコン信号を、本体側制御部８へ出力する。
【００１７】
本体側制御部８は、例えば、メモリ（不図示）に記憶されたプログラムに基づいて演算処理を行うＣＰＵ（不図示）であって、入力されたリモコン信号に基づいて、信号処理部４における放送信号に対する信号処理を制御することによって、ディスプレイ５及びスピーカー６における映像及び音声の出力を制御する。また、位置検出信号生成部である本体側制御部８は、テレビ受信機２に設けられたリモコン装置探索用の操作部８ａが操作された場合に、リモコン装置３の位置を検出するための位置検出信号を生成して、生成された位置検出信号を電波送信部９へ出力することで、電波送信部９が電波を送信するように制御する。
【００１８】
電波送信部９は、例えば、本体側制御部８から入力された位置検出信号を電波で送信するために位置検出信号を変調する集積回路（不図示）や、電波送信用のアンテナ（不図示）から構成されている。電波送信部９は、本体側制御部８から位置検出信号が入力された場合に、位置検出信号を電波としてリモコン装置３へ送信する。
【００１９】
ワイヤレスのリモコン装置３は、ユーザーがテレビ受信機２の操作を行うためのボタン等から構成される操作部１０と、リモコン装置３の各部を制御するリモコン側制御部１１と、リモコン信号をテレビ受信機２へ送信するリモコン信号送信部１２とを備えている。
【００２０】
リモコン側制御部１１は、例えば、ＣＰＵコアやメモリ（いずれも不図示）を内蔵したマイコンであって、操作部１０の操作内容に応じてリモコン信号を生成して、生成されたリモコン信号をリモコン信号送信部１２へ出力することで、リモコン信号送信部１２がリモコン信号を送信するように制御する。
【００２１】
リモコン信号送信部１２は、例えば、リモコン信号を赤外線で送信するためにリモコン信号を変調する集積回路（不図示）や、赤外線送信用の発光素子（不図示）から構成されるとともに、リモコン信号送信部１２は、リモコン側制御部１１からリモコン信号が入力された場合に、リモコン信号を赤外線としてテレビ受信機２へ送信する。
【００２２】
さらに、リモコン装置３は、テレビ受信機２から送信された電波を受信する電波受信部１３と、位置検出信号が含まれる電波を受信した場合に、リモコン装置３の位置を報知する報知部１４とを備えている。即ち、テレビ受信装置１は、リモコン装置３を紛失してリモコン装置３の所在が判らなくなった場合に、このリモコン装置３を探索するためのロケータ機能（位置検出機能）を有している。
【００２３】
電波受信部１３は、例えば、電波受信用のアンテナ（不図示）や、受信した電波に含まれる信号を得るために電波を復調する集積回路（不図示）から構成されており、電波受信部１３は、受信した位置検出信号を、リモコン側制御部１１へ出力する。リモコン側制御部１１は、電波受信部１３から位置検出信号が入力された場合に、報知部１４を動作させるための制御信号を報知部１４へ出力することで、報知部１４の動作を制御する。
【００２４】
報知部１４は、音声を発生させる（即ち、音を出力する）小型スピーカーであって、リモコン側制御部１１から入力された制御信号に基づき、音声を発生させて、リモコン装置３の位置をユーザーに報知する。
【００２５】
テレビ受信装置１におけるロケータ機能に係る動作を、図２を参照しながら、より詳しく説明する。
まず、リモコン装置３の所在が判らなくなった場合に、テレビ受信装置１のユーザーによりテレビ受信機２に設けられたリモコン装置探索用の操作部８ａ（例えば、ボタン）が操作される（ステップＳ１）。次いで、操作部８ａが操作されたことを本体側制御部８が検知して、本体側制御部８は、リモコン装置３の位置を検出するための位置検出信号を生成して、生成された位置検出信号を電波送信部９へ出力することで、電波送信部９が、位置検出信号を含む電波をリモコン装置３へ送信する（ステップＳ２）。
【００２６】
次いで、リモコン装置３の電波受信部１３が、テレビ受信機２（より具体的には、テレビ受信機２の電波送信部９）から送信された電波を受信する（ステップＳ３）。そして、電波受信部１３から位置検出信号がリモコン側制御部１１へ出力されることで、リモコン側制御部１１が、報知部１４を制御するための制御信号を報知部１４へ出力して、報知部１４がリモコン装置３の位置をユーザーに報知する（ステップＳ４）。
【００２７】
以上のようにして、ユーザーによりテレビ受信機２の操作部８ａが操作されることによって、リモコン装置３の報知部１４が、その位置をユーザーに報知するため、ユーザーはリモコン装置３の所在を知ることができる。
【００２８】
ここで、本実施形態においては、テレビ受信機２の電波送信部９は、位置検出信号を含む信号とは別に、一定の周期毎にリモコン装置３へ監視用の電波を送信する構成となっている。そして、リモコン装置３は、監視用の電波の強度を測定する電波強度測定部１５をさらに備えた構成となっている。以下、テレビ受信機２から監視用の電波が送信された際の、テレビ受信装置１の周期的な動作を、図３を参照しながら、より具体的に説明する。
【００２９】
まず、電波送信部９が、監視用の電波をリモコン装置３へ送信する（ステップＳ１１）。ここで、電波送信部９によって周期的に送信される電波は、上記の位置検出信号を含む電波とは異なる電波である。次いで、リモコン装置３の電波受信部１３が、ステップＳ３と同様に、テレビ受信機２（より具体的には、テレビ受信機２の電波送信部９）から送信された電波を受信する（ステップＳ１２）。
【００３０】
次いで、電波強度測定部１５が、電波受信部１３のアンテナ（不図示）によって受信された監視用の電波の強度（即ち、電界強度）を測定する（ステップＳ１３）。そして、電波強度測定部１５によって測定された電波の強度を示す信号がリモコン側制御部１１へ出力される。
【００３１】
次いで、リモコン側制御部１１が、ステップＳ１３において測定された電波の強度と、予め設定された閾値との比較演算を行う（ステップＳ１４）。より具体的には、リモコン側制御部１１は、測定された電波の強度と閾値との比較演算を行うとともに、この比較結果に基づいて、リモコン装置３の位置が、電波送信部９から送信される位置検出信号の電波が届かない領域の近辺であるか否かを判断する。即ち、テレビ受信機２とリモコン装置３との距離が大きいほど、テレビ受信機２（より具体的には、テレビ受信機２の電波送信部９）から送信された電波の強度は小さくなり、テレビ受信機２から送信された電波をリモコン装置３で受信できる範囲は、例えば、図４に示すように、テレビ受信機２とリモコン装置３との距離が約１３．５ｍ以内である。従って、比較演算の結果、受信した電波の強度が、テレビ受信機２とリモコン装置３との距離が１２ｍとなるような閾値よりも小さければ、リモコン側制御部１１は、電波送信部９から送信される位置検出信号の電波が届かない領域の近辺にリモコン装置３があると判断する。一方、比較演算の結果、受信した電波の強度が、テレビ受信機２とリモコン装置３との距離が１２ｍとなるような閾値以上であれば、リモコン側制御部１１は、電波送信部９から送信される位置検出信号の電波が届かない領域の近辺にリモコン装置３がなく、電波送信部９から送信される位置検出信号の電波が届き易い領域にリモコン装置３があると判断する。なお、比較演算に用いられる閾値は、テレビ受信機２とリモコン装置３との距離を判断するために予め測定された値であり、例えば、リモコン側制御部１１であるマイコンに内蔵されたメモリに予め記憶されている。
【００３２】
そして、ステップＳ１４における比較演算の結果、電波の強度が閾値よりも小さい場合は、位置検出信号の電波を電波受信部１３が受信できなくなることを防止するために、リモコン側制御部１１が、報知部１４を制御するための制御信号を報知部１４へ出力して、報知部１４がリモコン装置３の位置をユーザーに報知する（ステップＳ１５）。従って、リモコン側制御部１１は、リモコン装置３の位置が、テレビ受信機２とリモコン装置３との通信が困難となる可能性のある位置（即ち、電波受信部１３による位置検出信号の電波の受信が困難となる可能性のある位置）である場合に、リモコン装置３の位置を報知するように報知部１４を制御する。一方、ステップＳ１４における比較演算の結果、電波の強度が閾値以上である場合は、リモコン装置３の位置は報知されない。
【００３３】
上記実施形態のテレビ受信装置１によれば、以下のような効果を得ることができる。
（１）テレビ受信機２の電波送信部９は、常に電波を送信することなく、一定の周期毎にリモコン装置３へ監視用の電波を送信するため、リモコン装置３においては、周期的に電波を受信して電波の強度が測定される。従って、電波送信部９は常に電波を送信することがないため、常に電波を送信する構成に比し、テレビ受信機２の消費電力を低減することができ、リモコン装置３は、常に電波を受信する必要がないため、リモコン装置３の消費電力を低減することができる。また、電波送信部９は一定の周期毎に電波を送信するため、テレビ受信機２に設けられた操作部８ａが操作された際に電波送信部９が電波を送信する構成に比し、テレビ受信機２とリモコン装置３との距離に応じて、テレビ受信機２とリモコン装置３との通信が困難にならないようにリモコン装置３の位置を確実に報知することができる。
【００３４】
（２）電波送信部９は、本体側制御部８によって生成されたリモコン装置３の位置を検出するための位置検出信号を電波として送信し、報知部１４は、電波受信部１３によって受信された電波が位置検出信号である場合には、リモコン装置３の位置を報知する。このため、リモコン装置３を紛失した際には、電波送信部９によって位置検出信号を電波として送信することで、紛失したリモコン装置３の位置を報知することができる。また、周期的に送信される監視用の電波と、位置検出信号の電波は、同じ電波送信部９により送信されるため、電波を送信するためのテレビ受信機２の構成を簡単な構成とすることができる。
【００３５】
（３）リモコン側制御部１１は、監視用の電波の強度と予め設定された閾値とを比較するとともに、電波の強度が閾値よりも小さい場合に、位置検出信号の電波を電波受信部１３が受信できなくなることを防止するために、リモコン装置３の位置を報知するように報知部１４を制御する。このため、テレビ受信機２から送信された位置検出信号の電波をリモコン装置３が受信できなくなることを防止して、リモコン装置３を紛失した際には、電波送信部９によって位置検出信号を電波として送信することで、紛失したリモコン装置３の位置を確実に報知することができる。
【００３６】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００３７】
・上記実施形態においては、リモコン側制御部１１は、電波の強度が閾値よりも小さい場合に、位置検出信号の電波を電波受信部１３が受信できなくなることを防止するために、リモコン装置３の位置を報知するように報知部１４を制御していたが、このように構成しなくてもよい。即ち、リモコン信号をリモコン信号受信部７が受信できなくなることを防止するために、リモコン装置３の位置を報知するように報知部１４を制御してもよい。このようにしても上記（１）、（２）の効果を得ることができる。
【００３８】
・上記実施形態においては、テレビ受信装置１は、ロケータ機能を有していたが、ロケータ機能を有しないテレビ受信装置１であってもよい。ロケータ機能を有していない場合であっても、上記（１）の効果を得ることができる。
【００３９】
・上記実施形態においては、報知部１４は、小型スピーカーであったが、報知部１４は、音声を発生させるものだけではなく、光を発するものや、振動するものであってもよく、リモコン装置３の位置をユーザーに報知するものであればどのようなものでもよい。
【００４０】
・上記実施形態においては、電波強度測定部１５が強度を測定する電波は、監視用の信号であったが、電波送信部９によって一定の周期毎に送信される電波であればどのような電波であってもよい。
【図面の簡単な説明】
【００４１】
【図１】本発明の実施形態に係る電子機器であるテレビ受信装置を示すブロック図。
【図２】リモコン装置の所在を探索する際の動作を説明するためのフローチャート。
【図３】電子機器本体とリモコン装置との距離に基づいて報知部を動作させる際の動作を説明するためのフローチャート。
【図４】電子機器本体とリモコン装置との距離に応じて変化する、電子機器本体から送信された電波の強度を説明するためのグラフ。
【符号の説明】
【００４２】
１…テレビ受信装置（電子機器）、２…テレビ受信機（電子機器本体）、３…リモコン装置、７…リモコン信号受信部、８…本体側制御部（位置検出信号生成部）、８ａ…操作部、９…電波送信部、１１…リモコン側制御部、１２…リモコン信号送信部、１３…電波受信部、１４…報知部、１５…電波強度測定部。
【図１】
2009253859.tif 000003
【図２】
2009253859.tif 000004
【図３】
2009253859.tif 000005
【図４】
2009253859.tif 000006